(57)【要約】      （修正有）【課題】腰を曲げることなく立ったまま靴を履くとともに、脱いだ靴の向きを変えたり移動して整理することができ、設置場所を広く取らず一般家庭や旅館の玄関のインテリアとしてもふさわしい自立式の靴べらを提供する。【解決手段】長尺の靴べら本体１において、上端部をへら部２とし、下端部に脚部３を設け垂直に自立可能とし、脚部３は二股に分岐し、脚部の左右先端部４の各上部に滑り止め７を設けることにより、立ったまま靴を履くとともに、脱いだ靴の向きを変えたり移動して整理することができ、設置場所を広く取らず一般家庭や旅館の玄関のインテリアとしてもふさわしいものにする。【選択図】図１
0003177876.tif 000002
【実用新案登録請求の範囲】
【請求項１】
長尺の靴べら本体において、上端部をへら部とし、下端部に脚部を設け、脚部は二股に分岐することを特徴とする自立式靴べら。
【請求項２】
長尺の靴べら本体において、上端部をへら部とし、下端部に脚部を設け、脚部は二股に分岐し、脚部の左右先端部の各上部に滑り止めを設けることを特徴とする自立式靴べら。
【考案の詳細な説明】
【技術分野】
【０００１】  本考案は、脚部に脱いだ靴の向きを変えたり移動して整理する機能を設けた、自立式の靴べらに関するものである。
【背景技術】
【０００２】  従来、腰を曲げることなく立ったまま靴を履くことができる長尺の靴べらはあった。【０００３】  また、シャフトの下端部にフックと靴べらを設けたり、支柱の下端部に安定用支架を設けることで、自立と靴揃えを可能にした靴べらはあった。
【先行技術文献】
【０００４】
【特許文献１】登録実用新案第３０２０８７６号
【特許文献２】登録実用新案第３１０２２７８号
【考案の概要】
【考案が解決しようとする課題】
【０００５】  長尺の靴べらは、腰を曲げることなく立ったまま靴を履くことはできても、脱いだ靴の向きを変えるためには腰を曲げなければならず、特に高齢者や腰痛がある人には負担が大きく、また、脱いだ靴を移動して整理する際に靴を素手で触ることになり衛生的ではなかった。【０００６】  従来の考案では、下端部に靴べらと共にフックまたは安定用支架が設置されており、シャフトや支柱を支えるためには長いフックまたは安定用支架が必要であることから、設置場所を広く取ることになり、一般家庭や旅館の玄関のインテリアとしてふさわしくなかった。【０００７】  また、従来の考案では、フックがパイプ状であることや、支柱が斜めに傾いて自立することから、外観上の美観を損ない、一般家庭や旅館の玄関のインテリアとしてふさわしくなかった。【０００８】  さらに、靴をフックや安定用支架に挿入して持ち上げる際に、靴が滑り落ちる可能性があった。【０００９】  本考案は、上記問題点を克服すべくなされたもので、腰を曲げることなく立ったまま靴を履くとともに、脱いだ靴の向きを変えたり移動して整理することができ、その際に靴が滑り落ちず、設置場所を広く取らず外観上の美観を保ち、一般家庭や旅館の玄関のインテリアとしてもふさわしい自立式の靴べらを提供することを目的とする。
【課題を解決するための手段】
【００１０】  本考案は、長尺の靴べら本体において、上端部をへら部とし、下端部に脚部を設け垂直に自立可能とするとともに、脚部は二股に分岐することを特徴とする。【００１１】  さらに、本考案は、脚部の左右先端部の各上部に滑り止めを設けることを特徴とする。
【考案の効果】
【００１２】  本考案に係る靴向き変更機能付き靴べらスタンドによれば、腰を曲げることなく立ったまま靴を履くことができるとともに、二股に分岐した脚部の左右先端部を一対の左右の靴の内部に同時に挿入することにより、持ち上げて向きを変えたり移動して整理することができる。【００１３】  脚部の左右先端部に設けた滑り止めにより、挿入した靴を持ち上げる際に靴が滑り止めに引っ掛かることで滑り落ちることを防止する。【００１４】  靴べら本体の上端部にへら部があるため、下端部に設置されるのは脚部のみであり、その脚部は設置場所を広く取らないため、一般家庭や旅館の玄関のインテリアとしてふさわしい。【００１５】  また、脚部がパイプ状ではないことや、靴べら本体が垂直に自立していることからも、一般家庭や旅館の玄関のインテリアとしてふさわしい。
【図面の簡単な説明】
【００１６】
【図１】本考案の実施例を示す斜視図である。
【図２】本考案の実施例を示す正面図である。
【図３】本考案の実施例を示す左側面図である。
【図４】本考案の実施例を示す平面図である。
【図５】本考案の実施例を示す底面図である。
【考案を実施するための形態】
【００１７】  長尺の靴べら本体において、上端部をへら部とし、下端部に脚部を設け垂直に自立可能とする。脚部は二股に分岐して各々先端に向けて横幅を広げ、底面視先端が膨らんだ略逆Ｖ字状をなす。脚部の左右先端部の各上部には滑り止めを設ける。
【実施例】
【００１８】  以下、添付図面に従って一実施例を説明する。１は長尺の靴べら本体、２は靴を履くときに使用するへら部、３は靴べら本体１を自立可能とする脚部、６は靴べら本体１と脚部３を接合する接合部である。【００１９】  靴べら本体１は、長さＬ１（図３参照）が６０ｃｍ以上ある長尺で、木材や金属、プラスチック等適宜素材にて形成される。【００２０】  靴べら本体１の上端部をへら部２とし、片面が湾曲した形状をなし、足の踵を滑らせるようにする。【００２１】  靴べら本体１は、上端部から下端部にかけて一旦すぼまる形となるが、自立安定を確保し、靴べらとして使用する際に手で持ちやすくし、また、デザインに変化を持たせるために、下端部では上端部と同程度の幅を持たせるようにする。【００２２】  脚部３は、二股に分岐する。各々先端に向けて横幅を広げ、底面視先端が膨らんだ略逆Ｖ字状とすることで、接地面積を広くし、靴べら本体１の自立安定を確保する。また、長さＬ２（図４参照）は１５ｃｍ未満と短くし、設置場所を広く取らないようにする。【００２３】  ４は脚部３の先端部で、左右の間隔は、一対の横に並んだ左右の靴の内部にそのまま同時に挿入できる間隔とし、挿入した靴を並んだまま持ち上げられるようにする。また、上部にも膨らみを持たせ、挿入した靴を持ち上げる際に靴が滑り落ちにくくするとともに、デザインに変化を持たせる。【００２４】  ５は脚部３の分岐部で、上部が接合部６と接合する。【００２５】  接合部６は、略円筒形状をなし、上部が靴べら本体１の下端部と接合し、下部が脚部３と分岐部６で接合し、靴べら本体１を脚部３により垂直に自立させる。【００２６】  ７は滑り止めで、脚部３の左右先端部４の各上部にポリウレタン等適宜素材にて形成された突起状の滑り止め設置し、挿入した靴を持ち上げる際に靴が滑り落ちることを防止する。【００２７】  靴を履く際は、靴べら本体１の下端部を手に持って、へら部２を靴に挿入し、足の踵を滑らせることで、靴を履くことができる。【００２８】  脱いだ靴の向きを変えたり移動して整理する際は、靴べら本体１の上端部であるへら部２を手に持って、一対の靴の左右の靴の内部に、脚部３の左右先端部４を同時に挿入して持ち上げることで、靴の向きを変えたり移動して整理することができる。
【符号の説明】
【００２９】１  靴べら本体
２  へら部
３  脚部
４  先端部
５  分岐部
６  接合部
７  滑り止め
【図１】
0003177876.tif 000003
【図２】
0003177876.tif 000004
【図３】
0003177876.tif 000005
【図４】
0003177876.tif 000006
【図５】
0003177876.tif 000007